(57)【特許請求の範囲】
【請求項１】
表示機能とタッチ操作の検出機能を有する表示操作部と、
複数の原稿データを含む印刷データの印刷に係る設定を特定する設定特定部と、
前記印刷データと前記設定に基づいて、前記複数の原稿データに対応する複数の操作オブジェクトを前記表示操作部に表示させる表示制御部と、
を備え、
前記設定特定部は、第一の操作オブジェクト上の点を始点とし、前記第一の操作オブジェクトに隣接する第二の操作オブジェクト上の点を終点とする前記タッチ操作が検出された場合に、前記終点の位置に応じて、前記設定を特定し、
前記設定特定部は、前記終点の位置が、前記第二の操作オブジェクト上の第一の領域に含まれる場合に集約設定に係る値を特定し、前記終点の位置が前記第二の操作オブジェクト上の第二の領域に含まれる場合に、両面設定に係る値を特定する、情報処理装置。
【請求項２】
前記第一の領域は、前記第二の操作オブジェクトにおける表面を示す領域である、請求項１に記載の情報処理装置。
【請求項３】
前記第二の領域は、前記第二の操作オブジェクトにおける裏面を示す領域である、請求項１または２に記載の情報処理装置。
【請求項４】
表示機能とタッチ操作の検出機能を有する表示操作部と、
複数の原稿データを含む印刷データの印刷に係る設定を特定する設定特定部と、
前記印刷データと前記設定に基づいて、前記複数の原稿データに対応する複数の操作オブジェクトを前記表示操作部に表示させる表示制御部と、
を備え、
前記設定特定部は、第一の操作オブジェクト上の点を始点とし、前記第一の操作オブジェクトに隣接する第二の操作オブジェクト上の点を終点とする前記タッチ操作が検出された場合に、前記設定を特定し、
前記表示制御部は、前記表示操作部により検出されるタッチ操作に基づいて前記複数の操作オブジェクトをスクロール表示させ、前記印刷データに含まれる前記複数の原稿データのうち、一の原稿データに対応する操作オブジェクトを前記第二の操作オブジェクトとして表示させ、前記一の原稿データの次の原稿データに対応する操作オブジェクトを前記第一の操作オブジェクトとして表示させ、前記一の原稿データが、前記印刷データに含まれる最後の原稿データである場合に、所定のダミーデータに基づいて、前記第一の操作オブジェクトを表示させる、情報処理装置。
【請求項５】
表示機能とタッチ操作の検出機能を有する表示操作部と、
複数の原稿データを含む印刷データの印刷に係る設定を特定する設定特定部と、
前記印刷データと前記設定に基づいて、前記複数の原稿データに対応する複数の操作オブジェクトを前記表示操作部に表示させる表示制御部と、
を備え、
前記設定特定部は、第一の操作オブジェクト上の点を始点とし、前記第一の操作オブジェクトに隣接する第二の操作オブジェクト上の点を終点とする前記タッチ操作が検出された場合に、前記設定を特定し、
前記表示操作部は、マルチタッチ操作を検出し、
前記設定特定部は、前記表示操作部により検出されるタッチ位置の数に応じて前記設定を特定する、情報処理装置。
【請求項６】
前記設定特定部は、前記タッチ位置の数が第一の数である場合に、前記印刷データの全体に関する設定を特定し、前記タッチ位置の数が前記第一の数とは異なる第二の数である場合に、前記印刷データのうち、前記第一の操作オブジェクトと前記第二の操作オブジェクトに対応する原稿データに関する設定を特定する、請求項５に記載の情報処理装置。
【請求項７】
コンピュータに、
タッチ操作の検出機能と、
複数の原稿データを含む印刷データの印刷に係る設定を特定する設定特定機能と、
前記印刷データと前記設定に基づいて、前記複数の原稿データに対応する複数の操作オブジェクトを表示させる表示制御機能と、を実現させるための、プログラムであって、
前記設定特定機能は、第一の操作オブジェクト上の点を始点とし、前記第一の操作オブジェクトに隣接する第二の操作オブジェクト上の点を終点とする前記タッチ操作が検出された場合に、前記終点の位置に応じて、前記設定を特定し、
前記設定特定機能は、前記終点の位置が、前記第二の操作オブジェクト上の第一の領域に含まれる場合に集約設定に係る値を特定し、前記終点の位置が前記第二の操作オブジェクト上の第二の領域に含まれる場合に、両面設定に係る値を特定する、プログラム。
【請求項８】
コンピュータに、
タッチ操作の検出機能と、
複数の原稿データを含む印刷データの印刷に係る設定を特定する設定特定機能と、
前記印刷データと前記設定に基づいて、前記複数の原稿データに対応する複数の操作オブジェクトを表示させる表示制御機能と、を実現させるための、プログラムであって、
前記設定特定機能は、第一の操作オブジェクト上の点を始点とし、前記第一の操作オブジェクトに隣接する第二の操作オブジェクト上の点を終点とする前記タッチ操作が検出された場合に、前記設定を特定し、
前記表示制御機能は、前記検出機能により検出されるタッチ操作に基づいて前記複数の操作オブジェクトをスクロール表示させ、前記印刷データに含まれる前記複数の原稿データのうち、一の原稿データに対応する操作オブジェクトを前記第二の操作オブジェクトとして表示させ、前記一の原稿データの次の原稿データに対応する操作オブジェクトを前記第一の操作オブジェクトとして表示させ、前記一の原稿データが、前記印刷データに含まれる最後の原稿データである場合に、所定のダミーデータに基づいて、前記第一の操作オブジェクトを表示させる、プログラム。
【請求項９】
コンピュータに、
タッチ操作の検出機能と、
複数の原稿データを含む印刷データの印刷に係る設定を特定する設定特定機能と、
前記印刷データと前記設定に基づいて、前記複数の原稿データに対応する複数の操作オブジェクトを表示させる表示制御機能と、を実現させるための、プログラムであって、
前記設定特定機能は、第一の操作オブジェクト上の点を始点とし、前記第一の操作オブジェクトに隣接する第二の操作オブジェクト上の点を終点とする前記タッチ操作が検出された場合に、前記設定を特定し、
前記検出機能は、マルチタッチ操作を検出し、
前記設定特定機能は、前記検出機能により検出されるタッチ位置の数に応じて前記設定を特定する、プログラム。
【発明の詳細な説明】
【技術分野】
【０００１】
本発明は、情報処理装置、及びプログラムに関する。
【背景技術】
【０００２】
タッチパネルは、利用者（ユーザ）が指などの物体を利用してアプリケーションを操作できるため、直感的で使いやすいユーザインタフェースを提供することができる。タッチパネルは、例えば銀行のＡＴＭ、デジタル複合機（画像形成装置）、携帯電話機やゲーム機器などに用いられている。
【０００３】
例えば、特許文献１には、デジタル複合機に搭載されたタッチパネルにおいて、所定方向にタッチ位置を移動させる操作が行われることで、両面印刷や集約等の設定を制御するデジタル複合機が開示されている。
【先行技術文献】
【特許文献】
【０００４】
【特許文献１】特開２０１３−４５１２５号公報
【発明の概要】
【発明が解決しようとする課題】
【０００５】
しかし、特許文献１に記載の技術においては、設定と操作との関連が弱く、当該操作により設定の制御が可能であることがユーザにとって理解し難かった。例えば、特許文献１に記載の技術では、１の原稿に対応する表示に対して所定の操作が行われることで、両面印刷、または集約といった複数の原稿に係る設定が特定されており、設定と操作との関連がユーザに理解され難かった。
【０００６】
そこで、本発明は、上記問題に鑑みてなされたものであり、本発明の目的とするところは、ユーザにとって理解しやすい操作で設定を行うことが可能な、新規かつ改良された情報処理装置及びプログラムを提供することにある。
【課題を解決するための手段】
【０００７】
上記課題を解決するために、本発明のある観点によれば、表示機能とタッチ操作の検出機能を有する表示操作部と、複数の原稿データを含む印刷データの印刷に係る設定を特定する設定特定部と、前記印刷データと前記設定に基づいて、前記複数の原稿データに対応する複数の操作オブジェクトを前記表示操作部に表示させる表示制御部と、を備え、前記設定特定部は、第一の操作オブジェクト上の点を始点とし、前記第一の操作オブジェクトに隣接する第二の操作オブジェクト上の点を終点とする前記タッチ操作が検出された場合に、前記終点の位置に応じて、前記設定を特定し、前記設定特定部は、前記終点の位置が、前記第二の操作オブジェクト上の第一の領域に含まれる場合に集約設定に係る値を特定し、前記終点の位置が前記第二の操作オブジェクト上の第二の領域に含まれる場合に、両面設定に係る値を特定する、情報処理装置が提供される。
【００１０】
前記第一の領域は、前記第二の操作オブジェクトにおける表面を示す領域であってもよい。
【００１１】
前記第二の領域は、前記第二の操作オブジェクトにおける裏面を示す領域であってもよい。
【００１２】
また、上記課題を解決するために、本発明の別の観点によれば、表示機能とタッチ操作の検出機能を有する表示操作部と、複数の原稿データを含む印刷データの印刷に係る設定を特定する設定特定部と、前記印刷データと前記設定に基づいて、前記複数の原稿データに対応する複数の操作オブジェクトを前記表示操作部に表示させる表示制御部と、を備え、前記設定特定部は、第一の操作オブジェクト上の点を始点とし、前記第一の操作オブジェクトに隣接する第二の操作オブジェクト上の点を終点とする前記タッチ操作が検出された場合に、前記設定を特定し、前記表示制御部は、前記表示操作部により検出されるタッチ操作に基づいて前記複数の操作オブジェクトをスクロール表示させ、前記印刷データに含まれる前記複数の原稿データのうち、一の原稿データに対応する操作オブジェクトを前記第二の操作オブジェクトとして表示させ、前記一の原稿データの次の原稿データに対応する操作オブジェクトを前記第一の操作オブジェクトとして表示させ、前記一の原稿データが、前記印刷データに含まれる最後の原稿データである場合に、所定のダミーデータに基づいて、前記第一の操作オブジェクトを表示させる、情報処理装置が提供される。
【００１４】
また、上記課題を解決するために、本発明の別の観点によれば、表示機能とタッチ操作の検出機能を有する表示操作部と、複数の原稿データを含む印刷データの印刷に係る設定を特定する設定特定部と、前記印刷データと前記設定に基づいて、前記複数の原稿データに対応する複数の操作オブジェクトを前記表示操作部に表示させる表示制御部と、を備え、前記設定特定部は、第一の操作オブジェクト上の点を始点とし、前記第一の操作オブジェクトに隣接する第二の操作オブジェクト上の点を終点とする前記タッチ操作が検出された場合に、前記設定を特定し、前記表示操作部は、マルチタッチ操作を検出し、前記設定特定部は、前記表示操作部により検出されるタッチ位置の数に応じて前記設定を特定する、情報処理装置が提供される。
【００１５】
前記設定特定部は、前記タッチ位置の数が第一の数である場合に、前記印刷データの全体に関する設定を特定し、前記タッチ位置の数が前記第一の数とは異なる第二の数である場合に、前記印刷データのうち、前記第一の操作オブジェクトと前記第二の操作オブジェクトに対応する原稿データに関する設定を特定してもよい。
【００１６】
また、上記課題を解決するために、本発明の別の観点によれば、コンピュータに、タッチ操作の検出機能と、複数の原稿データを含む印刷データの印刷に係る設定を特定する設定特定機能と、前記印刷データと前記設定に基づいて、前記複数の原稿データに対応する複数の操作オブジェクトを表示させる表示制御機能と、を実現させるための、プログラムであって、前記設定特定機能は、第一の操作オブジェクト上の点を始点とし、前記第一の操作オブジェクトに隣接する第二の操作オブジェクト上の点を終点とする前記タッチ操作が検出された場合に、前記終点の位置に応じて、前記設定を特定し、前記設定特定機能は、前記終点の位置が、前記第二の操作オブジェクト上の第一の領域に含まれる場合に集約設定に係る値を特定し、前記終点の位置が前記第二の操作オブジェクト上の第二の領域に含まれる場合に、両面設定に係る値を特定する、プログラムが提供される。
また、上記課題を解決するために、本発明の別の観点によれば、コンピュータに、タッチ操作の検出機能と、複数の原稿データを含む印刷データの印刷に係る設定を特定する設定特定機能と、前記印刷データと前記設定に基づいて、前記複数の原稿データに対応する複数の操作オブジェクトを表示させる表示制御機能と、を実現させるための、プログラムであって、前記設定特定機能は、第一の操作オブジェクト上の点を始点とし、前記第一の操作オブジェクトに隣接する第二の操作オブジェクト上の点を終点とする前記タッチ操作が検出された場合に、前記設定を特定し、前記表示制御機能は、前記検出機能により検出されるタッチ操作に基づいて前記複数の操作オブジェクトをスクロール表示させ、前記印刷データに含まれる前記複数の原稿データのうち、一の原稿データに対応する操作オブジェクトを前記第二の操作オブジェクトとして表示させ、前記一の原稿データの次の原稿データに対応する操作オブジェクトを前記第一の操作オブジェクトとして表示させ、前記一の原稿データが、前記印刷データに含まれる最後の原稿データである場合に、所定のダミーデータに基づいて、前記第一の操作オブジェクトを表示させる、プログラムが提供される。
また、上記課題を解決するために、本発明の別の観点によれば、コンピュータに、タッチ操作の検出機能と、複数の原稿データを含む印刷データの印刷に係る設定を特定する設定特定機能と、前記印刷データと前記設定に基づいて、前記複数の原稿データに対応する複数の操作オブジェクトを表示させる表示制御機能と、を実現させるための、プログラムであって、前記設定特定機能は、第一の操作オブジェクト上の点を始点とし、前記第一の操作オブジェクトに隣接する第二の操作オブジェクト上の点を終点とする前記タッチ操作が検出された場合に、前記設定を特定し、前記検出機能は、マルチタッチ操作を検出し、前記設定特定機能は、前記検出機能により検出されるタッチ位置の数に応じて前記設定を特定する、プログラムが提供される。
【発明の効果】
【００１７】
以上説明したように本発明によれば、ユーザにとって理解しやすい操作で設定を行うことが可能である。
【図面の簡単な説明】
【００１８】
【図１】本発明の第一の実施形態に係る画像形成装置１の構成を説明するためのブロック図である。
【図２】同実施形態に係る表示制御部１２０が表示させるプレビュー画面、及び操作オブジェクトの一例について説明するための説明図である。
【図３】同実施形態に係る第二の操作オブジェクト上の第一の領域、及び第二の領域を説明するための説明図である。
【図４】同実施形態に係る動作フローを示すフローチャート図である。
【図５】集約設定に係る値が設定される場合に、表示操作部１１０に表示される画面の遷移例を示す説明図である。
【図６】両面設定に係る値が設定される場合に、表示操作部１１０に表示される画面の遷移例を示す説明図である。
【図７】本発明の第二の実施形態に係る画像形成装置の構成例を示す説明図である。
【図８】同実施形態に係るスクロール制御部２２４によるスクロール表示を説明するための説明図である。
【図９】メイン操作オブジェクトに対応する原稿データが印刷データの最後の原稿データである場合のプレビュー画面の一例を示す説明図である。
【図１０】同実施形態に係る動作フローを示すフローチャート図である。
【図１１】メイン操作オブジェクトの上にダミーデータに基づく操作オブジェクトが表示される変形例を説明するための説明図である。
【図１２】ハードウェア構成例を示す説明図である。
【発明を実施するための形態】
【００１９】
本発明は、例えば表裏面を備えた一枚の紙に相当する、一つの画像表示媒体を模した操作オブジェクトを複数表示させ、当該操作オブジェクトを用いて、ユーザにとって直観的な設定操作を可能とする。印刷機能やコピー機能の設定操作において本発明が適用される場合、操作オブジェクトは、例えば文字や写真等からなる画像が印刷されて出力される用紙の印刷結果を模したものとなる。
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
＜＜１．第一の実施形態＞＞
＜１−１．第一の実施形態の構成＞
まず、図１を参照して、本発明の第一の実施形態に係る画像形成装置の構成を説明する。
【００２２】
図１は、本発明の第一の実施形態に係る画像形成装置１の構成を説明するためのブロック図である。図１に示すように、本実施形態による画像形成装置１は、本実施形態による画像形成装置１は、表示装置１０、スキャナ部１２、プリンタ部１４、制御部１６、通信部１８を備える情報処理装置である。本実施形態による画像形成装置１は、少なくともコピー機能を有し、また、例えばスキャナ機能、ファクシミリ機能、インターネットファクシミリ機能、及びネットワークプリンタ機能などを有してもよい。以下、本実施形態の全体構成を説明した後、本実施形態に係る画像形成装置１が備える表示装置１０の構成について、詳細に説明する。
【００２３】
（画像形成装置）
表示装置１０は、画像形成装置１の機能に係る各種画面を表示する表示機能、及びユーザからの入力を受け付ける入力機能を有する情報処理装置である。例えば、表示装置１０は、印刷結果等の、画像形成装置１の動作結果に係るプレビュー画面を表示し、ユーザからの入力に基づいて設定を特定する。なお、表示装置１０の詳細な構成については後述する。
【００２４】
スキャナ部１２は、制御部１６による設定、及び制御に基づいて、原稿から画像情報を読み取る。プリンタ部１４は、制御部１６による設定、及び制御に基づいて、画像情報を例えば印刷媒体に印刷（出力）する。以降では、１頁として読み取られた、または1頁として生成された画像情報を、原稿データと呼ぶ場合がある。また、プリンタ部１４により連続的に、または同時に印刷される、１または複数の原稿データを含むデータを印刷データと呼ぶ場合がある。以下では、印刷データには複数の原稿データが含まれる例を説明する。
【００２５】
なお、プリンタ部１４は、制御部１６による設定、及び制御に基づいて、複数の（複数頁の）原稿データを、印刷媒体における単一頁に集約して印刷してもよい。また、プリンタ部１４は、制御部１６による設定、及び制御に基づいて、複数の（複数頁の）原稿データを、印刷媒体の両面に印刷してもよい。
【００２６】
制御部１６は、画像形成装置１の各構成を制御する。例えば、制御部１６は、表示装置１０に現在の設定状況の情報を提供し、また表示装置１０から設定の情報を受け取って当該設定を反映させる。また、制御部１６は、スキャナ部１２、プリンタ部１４を制御し、画像形成装置１が有するコピー機能等の各種機能を実現する。本実施形態に係る制御部１６は、後述する表示装置１０が特定した印刷に係る設定を反映させ、当該設定に基づいてスキャナ部１２、プリンタ部１４を制御する。また、制御部１６は、スキャナ部１２に基づいて得られる印刷データを表示装置１０、及びプリンタ部１４に提供する。
【００２７】
また、制御部１６は、通信部１８による通信を制御し、図１に示す通信網５に接続された不図示の情報処理装置と情報の送受信を行ってもよい。例えば制御部１６は、通信部１８を介して、通信網５に接続された情報処理装置から、印刷データと設定の情報を受け取り、受け取った印刷データと設定に基づいてプリンタ部１４に印刷させてもよい。また、制御部１６は、通信部１８を介して、通信網５に接続された他の情報処理装置に現在の設定状況の情報を送信させてもよい。係る構成により、例えば、通信網５に接続された他の情報処理装置により画像形成装置１が操作されるネットワークプリンタ機能が実現される。
【００２８】
通信部１８は、他の装置との間の通信を仲介する通信インタフェースである。通信部１８は、任意の無線通信プロトコルまたは有線通信プロトコルをサポートし、例えば図１に示した通信網５を介して他の装置との間の通信接続を確立する。それにより、例えば、画像形成装置１が通信網５に接続された他の情報処理装置に現在の設定状況の情報等を送信し、及び通信網５に接続された他の情報処理装置から設定の情報と印刷データを受信することが可能となる。
【００２９】
なお、通信網５は、通信網５に接続されている装置、またはシステムから送信される情報の有線、または無線の伝送路である。例えば、通信網５は、インターネット、電話回線網、衛星通信網等の公衆回線網や、Ｅｔｈｅｒｎｅｔ（登録商標）を含む各種のＬＡＮ（Local  Area  Network）、ＷＡＮ（Wide  Area  Network）等を含んでもよい。また、通信網５は、ＩＰ−ＶＰＮ（Internet  Protocol−Virtual  Private  Network）等の専用回線網を含んでもよい。
【００３０】
（表示装置）
以上、本実施形態にかかる画像形成装置１の構成を説明した。続いて、本実施形態に係る画像形成装置１が有する表示装置１０の構成について説明する。図１に示すように、表示装置１０は、表示操作部１１０、表示制御部１２０、設定特定部１３０、及び記憶部１４０を備える情報処理装置である。
【００３１】
表示操作部１１０は、表示部（表示装置）としての表示機能と、検出部としての利用者のタッチ操作（タッチ位置、タッチ点の数等）の検出機能を有する。表示操作部１１０によるタッチ操作の検出は、表示操作部１１０に対する接触の検出に限られず、表示操作部１１０に指等の物体が近接したことを検出することで行われてもよい。また、表示操作部１１０は、後述する表示制御部１２０に制御されて、表示部（表示装置）として、画像形成装置１の動作結果に係るプレビュー画面、または画像形成装置１の各種機能を操作するための操作画面等を表示する。
【００３２】
表示操作部１１０は、例えばタッチパネルディスプレイ等により実現されてもよい。なお、図１では表示装置１０が表示機能と入力機能が一体化された表示操作部１１０を備える例を示したが、表示装置１０は、表示機能を有する表示部と、入力機能を有する入力部を別々に備えてもよい。
【００３３】
表示制御部１２０は、表示操作部１１０による表示を制御する表示制御機能を有する。例えば、表示制御部１２０は、表示操作部１１０を制御して、画像形成装置１の動作結果に係るプレビュー画面、または画像形成装置１の各種機能を操作するための操作画面等を表示させる。表示制御部１２０は、表示操作部１１０により検出されたタッチ操作に応じて、表示操作部１１０による表示を制御してもよい。
【００３４】
また、表示制御部１２０は、図１に示すように、操作オブジェクト制御部１２２としても機能する。操作オブジェクト制御部１２２は、印刷データと印刷に係る設定に基づいて、複数の原稿データに対応する複数の操作オブジェクトを生成し、表示操作部１１０に表示させる。
【００３５】
図２は、表示制御部１２０が表示させるプレビュー画面、及び操作オブジェクトの一例について説明するための説明図である。図２に示すように、プレビュー画面Ｕ１００は、印刷結果における印刷媒体を模したメイン操作オブジェクトＤ１２０と、サブ操作オブジェクトＤ１４０と、を含む。また、図２に示す例において、より多くの領域が表示されているメイン操作オブジェクトＤ１２０は、現在選択されている操作オブジェクトである。また、図２に示す例において、より少ない領域が表示されているサブ操作オブジェクトＤ１４０は、現在選択されているメイン操作オブジェクトＤ１２０が示す印刷媒体の次の印刷媒体を示す操作オブジェクトである。
【００３６】
なお、図２に示す例では、１の印刷媒体に１の原稿データが印刷される設定であり、操作オブジェクト制御部１２２は、印刷データに含まれる複数の原稿データのうち、一の原稿データに対応する操作オブジェクトをメイン操作オブジェクトＤ１２０として表示させ、当該一の原稿データの次の原稿データに対応する操作オブジェクトをサブ操作オブジェクトＤ１４０として表示させてもよい。図２に示す例では、メイン操作オブジェクトＤ１２０は、印刷データに含まれる１頁目の原稿データに対応し、サブ操作オブジェクトＤ１４０は、印刷データに含まれる２頁目の原稿データに対応している。また、サブ操作オブジェクトＤ１４０は、表示操作部１１０により検出されるタッチ操作に応じてドラッグされてもよく、ドラッグされる場合、タッチ操作に応じた位置に表示されてもよい。
【００３７】
また、図２に示すように、プレビュー画面Ｕ１００は、ボタンＵ１０１〜Ｕ１０４を含んでもよい。ボタンＵ１０１〜Ｕ１０３は、例えば設定状況を変更・確認するためのボタンであり、ユーザが表示操作部１１０を操作してボタンＵ１０１〜Ｕ１０３を押下した場合、表示制御部１２０は、設定のための設定画面を表示させてもよい。
【００３８】
また、ボタンＵ１０４は、印刷を開始させるためのボタンであり、ユーザが表示操作部１１０を操作してボタンＵ１０４を押下した場合、印刷を開始させるための命令信号が、表示装置１０から画像形成装置１の制御部１６に出力される。
【００３９】
図２に示すように、メイン操作オブジェクトＤ１２０は、印刷結果における第一の面と第二の面を備えた一つの印刷媒体を模しており、現在の設定に関わらず、第一の面の少なくとも一部の領域と、第二の面の少なくとも一部の領域が表示される。
【００４０】
図１に示す設定特定部１３０は、表示操作部１１０により検出されるタッチ操作に基づいて、印刷データの印刷に係る設定を特定する設定特定機能を有する。
【００４１】
例えば、設定特定部１３０は、複数の（複数頁の）原稿データを、印刷媒体の両面に印刷するための両面設定に係る値を特定してもよい。両面設定に係る値は、例えば両面設定がオフである「オフ」、長辺をとじて両面印刷を行う「長辺とじ」、及び短辺をとじて両面印刷を行う「短辺とじ」等であってよい。
【００４２】
また、設定特定部１３０は、複数の（複数頁の）原稿データを、印刷媒体における単一頁に集約して印刷するための集約設定に係る値を特定してもよい。集約設定に係る値は、例えば一枚の印刷媒体の一面に１の原稿データを印刷する「オフ」、一枚の印刷媒体の一面を二分割し、各領域に１の原稿データを印刷する「２ＵＰ（２ｉｎ１）」、及び一枚の印刷媒体の一面を四分割し、各領域に１の原稿データを印刷する「４ＵＰ（４ｉｎ１）」等であってよい。
【００４３】
本実施形態に係る設定特定部１３０は、第一の操作オブジェクト（サブ操作オブジェクト）上の点を始点とし、第一の操作オブジェクトに隣接する第二の操作オブジェクト（メイン操作オブジェクト）上の点を終点とするタッチ操作が検出された場合に、印刷に係る設定を特定する。
【００４４】
係る構成によれば、複数の原稿データに対応する複数の操作オブジェクトを用いた操作により両面設定、集約設定などの複数の原稿データの印刷に係る設定が特定され得るため、ユーザにとって理解しやすい操作で設定を行うことが可能である。
【００４５】
また、設定特定部１３０は、第二の操作オブジェクト上における、終点の位置に応じて、印刷に係る設定を特定してもよい。係る構成によれば、設定特定部１３０は、２つの操作オブジェクトにより、より多様な設定を特定可能となる。
【００４６】
例えば、設定特定部１３０は、終点の位置が、第二の操作オブジェクト上の第一の領域に含まれる場合に集約設定に係る値を特定し、終点の位置が、第二の操作オブジェクト上の第二の領域に含まれる場合に両面設定に係る値を特定してもよい。
【００４７】
図３は、上述した第二の操作オブジェクト上の第一の領域、及び第二の領域を説明するための説明図である。なお、図３に示す第二の操作オブジェクトＹ１０は、図１に示したメイン操作オブジェクトＤ１２０に対応する。
【００４８】
例えば、上述した第一の領域は、図２に示す第二の操作オブジェクトＹ１０における表面を示す表面領域Ｙ１２であってもよい。つまり、設定特定部１３０は、第一の操作オブジェクト（不図示）を、第二の操作オブジェクトＹ１０上の表面領域Ｙ１２に重ねるようなタッチ操作が行われた場合に集約設定に係る値を特定する。例えば、集約設定に係る値が「オフ」である場合に、上記操作が行われて、集約設定に係る値が「２ＵＰ」に特定される。係る構成によれば、第一の操作オブジェクトを、第二の操作オブジェクトの表面にドラッグ＆ドロップさせるようなタッチ操作により、第二の操作オブジェクトの表面に、第一の操作オブジェクトに対応する原稿データを印刷させる集約設定が特定されるため、操作と設定との関連がユーザに理解されやすい。
【００４９】
また、上述した第二の領域は、図２に示す第二の操作オブジェクトＹ１０における裏面を示す裏面領域Ｙ１４（裏面が捲られて表示された領域）であってもよい。つまり、設定特定部１３０は、第一の操作オブジェクト（不図示）を、第二の操作オブジェクトＹ１０上の裏面領域Ｙ１４に重ねるようなタッチ操作が行われた場合に両面設定に係る値を特定する。例えば、両面設定に係る値が「オフ」である場合に、上記操作が行われて、両面設定に係る値が「長辺とじ」に特定される。係る構成によれば、第一の操作オブジェクトを第二の操作オブジェクトの裏面にドラッグ＆ドロップさせるようなタッチ操作により、第一の操作オブジェクトに対応する原稿データを第二の操作オブジェクトの裏面に印刷させる両面設定が特定されるため、操作と設定との関連がユーザに理解されやすい。
【００５０】
上記のように、係る構成によれば、ユーザにとって設定と操作との関連が理解しやすい操作で設定を行うことが可能である。なお、上記のタッチ操作が行われた際の詳細な動作例については、図５，６を参照して後述する。
【００５１】
記憶部１４０は、表示装置１０の各構成が機能するためのプログラムやパラメータを記憶する。例えば、記憶部１４０は、複数の原稿データを含む印刷データを記憶してもよい。
【００５２】
＜１−２．第一の実施形態の動作＞
以上、本発明の第一の実施形態の構成例について説明した。続いて、本実施形態の動作を説明する。以下では、本実施形態による画像形成装置１の動作例について、図４〜６を参照して説明を行う。
【００５３】
図４は本実施形態に係る動作フローを示すフローチャート図である。まず、図４に示すように、表示操作部１１０が、サブ操作オブジェクト（第一の操作オブジェクト）上を始点としたタッチ位置の移動（タッチ操作）を検出する（Ｓ１０２）。
【００５４】
ステップＳ１０２で検出されたタッチ操作の終点が、メイン操作オブジェクト（第二の操作オブジェクト）の表面領域（第一の領域）に含まれる場合（Ｓ１０４においてＹＥＳ）、設定特定部１３０は集約設定に係る値を特定する（Ｓ１０６）。
【００５５】
図５は、上記のタッチ操作により、集約設定に係る値が設定される場合に、表示操作部１１０に表示される画面の遷移例を示す説明図である。例えば、図２に示したプレビュー画面Ｕ１００において、サブ操作オブジェクトＤ１４０を始点としてタッチ操作が開始される。そして、図５に示すように、プレビュー画面Ｕ２００において、メイン操作オブジェクトＤ２２０の表面領域上にタッチ位置Ｔ２００が移動する。
【００５６】
係る場合、図５に示すように、サブ操作オブジェクトＤ２４０は半透過された状態で、タッチ位置の移動に応じた位置に表示されてもよい。また、図５では示されていないが、タッチ位置がメイン操作オブジェクトＤ２２０の表面領域上に存在する場合に、当該表面領域がハイライト表示されてもよい。
【００５７】
続いて、メイン操作オブジェクトＤ２２０の表面領域上の点（例えばタッチ位置Ｔ２００）を終点としてタッチ操作が終了すると、集約設定に係る値が「２ＵＰ」に設定され、図５に示すプレビュー画面Ｕ３００のように、メイン操作オブジェクトＤ３２０に１頁目の原稿データと２頁目の原稿データが含まれて表示される。なお、図５に示すプレビュー画面Ｕ３００のように、サブ操作オブジェクトＤ３４０に３頁目の原稿データと４頁目の原稿データが含まれて表示されてもよい。
【００５８】
図４に戻って動作フローの説明を続ける。ステップＳ１０２で検出されたタッチ操作の終点が、メイン操作オブジェクト（第二の操作オブジェクト）の裏面領域（第二の領域）に含まれる場合（Ｓ１０４においてＮＯかつＳ１０８においてＹＥＳ）、設定特定部１３０は両面設定に係る値を特定する（Ｓ１１０）。
【００５９】
図６は、上記のタッチ操作により、両面設定に係る値が設定される場合に、表示操作部１１０に表示される画面の遷移例を示す説明図である。例えば、図２に示したプレビュー画面Ｕ１００において、サブ操作オブジェクトＤ１４０を始点としてタッチ操作が開始される。そして、図６に示すように、プレビュー画面Ｕ４００において、メイン操作オブジェクトＤ４２０の裏面領域上にタッチ位置Ｔ４００が移動する。
【００６０】
係る場合、図６に示すように、サブ操作オブジェクトＤ４４０は半透過された状態で、タッチ位置の移動に応じた位置に表示されてもよい。また、図６では示されていないが、タッチ位置がメイン操作オブジェクトＤ４２０の裏面領域上に存在する場合に、当該裏面領域がハイライト表示されてもよい。
【００６１】
続いて、メイン操作オブジェクトＤ４２０の裏面領域上の点（例えばタッチ位置Ｔ４００）を終点としてタッチ操作が終了すると、両面設定に係る値が「長辺とじ」に設定され、図６に示すプレビュー画面Ｕ５００のように、メイン操作オブジェクトＤ５２０の裏面領域Ｄ５２４に２頁目の原稿データが含まれて表示される。なお、サブ操作オブジェクトＤ５４０には、３頁目の原稿データが含まれて表示されてもよい。
【００６２】
また、両面設定に係る値が「長辺とじ」または「短辺とじ」の場合、図６に示すプレビュー画面Ｕ５００のように、とじ方向設定を示す長辺とじボタンＵ５２０と短辺とじボタンＵ５４０が表示されてもよい。図６に示すプレビュー画面Ｕ５００の状態において、短辺とじボタンＵ５４０が押下されると、両面設定に係る値が「短辺とじ」に変更されてもよい。
【００６３】
図４に戻って動作フローの説明を続ける。ステップＳ１０２で検出されたタッチ操作の終点が、メイン操作オブジェクト（第二の操作オブジェクト）の表面領域、及び裏面領域のいずれにも含まれない場合（Ｓ１０４においてＮＯかつＳ１０８においてＮＯ）、処理は終了する。
【００６４】
＜１−３．第一の実施形態の効果＞
以上、本発明の第一の実施形態について説明した。本実施形態によれば、ユーザにとって理解しやすい操作で設定を行うことが可能である。例えば、印刷媒体を模した操作オブジェクトの表面に、次の操作オブジェクトをドラッグ＆ドロップする集約設定のためのタッチ操作は、複数の原稿データを、印刷媒体における単一頁に集約させるイメージと合致しており、ユーザに理解されやすい。また、印刷媒体を模した操作オブジェクトの裏面に、次の操作オブジェクトをドラッグ＆ドロップする両面設定のためのタッチ操作は、次頁の原稿データを、印刷媒体における裏面に印刷させるイメージと合致しており、ユーザに理解されやすい。
【００６５】
＜＜２．第二の実施形態＞＞
上述した第一の実施形態では、原稿データに基づいて生成される操作オブジェクトに対するタッチ操作により、印刷に係る設定を行う例を説明した。これに対し、以下では、第一の実施形態と同様の操作に加え、第二の実施形態として、ダミーデータに基づいて生成されるダミーの操作オブジェクトに対するタッチ操作により、印刷に係る設定を行うことも可能な例を説明する。
【００６６】
＜２−１．第二の実施形態の構成例＞
本発明の第二の実施形態に係る画像形成装置は、第一の実施形態に係る画像形成装置と同様に、例えばコピー機能を有する情報処理装置である。また、第二の実施形態に係る画像形成装置は、例えばスキャナ機能、ファクシミリ機能、インターネットファクシミリ機能、及びネットワークプリンタ機能などを有してもよい。また、本発明の第二の実施形態に係る画像形成装置は、図１を参照して説明した第一の実施形態に係る画像形成装置１と一部において同様の構成を有するため、適宜省略しながら説明を行う。以下では、図７を参照して、第二の実施形態に係る画像形成装置の構成について説明する。
【００６７】
図７は、本実施形態に係る画像形成装置の構成例を示す説明図である。図７に示すように、本実施形態に係る画像形成装置１−２は、例えば、表示装置２０、スキャナ部１２、プリンタ部１４、制御部１６、及び通信部１８を備える。図７に示す構成のうち、図１に示した各構成と実質的に同様の構成については同一の符号を付してあるため、説明を省略する。
【００６８】
図７に示す表示装置２０は、表示制御部２２０の機能が図１に示す表示装置２０の表示制御部１２０の機能と一部異なる点で、表示装置１０と異なる。本実施形態に係る表示制御部２２０は、第一の実施形態に係る表示制御部１２０と同様に表示操作部１１０による表示を制御する。また、表示制御部２２０は、図７に示すように操作オブジェクト制御部２２２、スクロール制御部２２４、及び判定部２２６としても機能する。
【００６９】
本実施形態に係る操作オブジェクト制御部２２２は、第一の実施形態に係る操作オブジェクト制御部１２２と同様に、印刷データと印刷に係る設定に基づいて、複数の原稿データに対応する複数の操作オブジェクトを生成し、表示操作部１１０に表示させる。例えば、１の印刷媒体に１の原稿データが印刷される設定である場合、操作オブジェクト制御部２２２は、図２を参照して説明したように、メイン操作オブジェクト、及びサブ操作オブジェクトを表示させてもよい。
【００７０】
操作オブジェクト制御部２２２は、印刷データに含まれる複数の原稿データのうち、一の原稿データに対応する操作オブジェクトをメイン操作オブジェクト（第二の操作オブジェクト）として表示させ、当該一の原稿データの次の原稿データに対応する操作オブジェクトをサブ操作オブジェクト（第一の操作オブジェクト）として表示させてもよい。また、操作オブジェクト制御部２２２は、所定のダミーデータに基づいて、サブ操作オブジェクトを表示させてもよい。操作オブジェクト制御部２２２が、ダミーデータに基づいて、サブ操作オブジェクトを表示させる例については、図９を参照して後述する。
【００７１】
スクロール制御部２２４は、表示操作部１１０により検出されるタッチ操作に基づいて、複数の操作オブジェクトをスクロール表示させる。なお、スクロール表示のためのタッチ操作は、特に限定されない。
【００７２】
図８は、スクロール制御部２２４によるスクロール表示を説明するための説明図である。図８に示すプレビュー画面Ｕ６００は、印刷データに含まれる１頁目の原稿データに対応するメイン操作オブジェクトＤ６２０、及び、印刷データに含まれる２頁目の原稿データに対応するサブ操作オブジェクトＤ６４０を含む。また、図８に示すように、本実施形態に係るプレビュー画面Ｕ６００は、操作オブジェクトのスクロール状況を示すスクロールインジケータＵ６１０を含んでもよい。なお、図８では操作オブジェクトの番号を用いたスクロールインジケータＵ６１０が示されているが、スクロールインジケータは係る例に限定されず、スクロールバー等であってもよい。
【００７３】
スクロールインジケータＵ６１０は、４つの操作オブジェクトのうち、現在選択されている操作オブジェクトが１番目の操作オブジェクトであることを示している。なお、現在選択されている（スクロールインジケータＵ６１０の値に対応する）操作オブジェクトが、メイン操作オブジェクトであってもよい。
【００７４】
図８に示すプレビュー画面Ｕ６００において、次の操作オブジェクトにスクロールするためのタッチ操作が行われた場合、スクロール制御部２２４は、図８に示すプレビュー画面Ｕ７００が表示されるように、表示を制御する。プレビュー画面Ｕ７００は、印刷データに含まれる２頁目の原稿データに対応するメイン操作オブジェクトＤ７２０、及び、印刷データに含まれる３頁目の原稿データに対応するサブ操作オブジェクトＤ７４０を含む。また、プレビュー画面Ｕ７００は、４つの操作オブジェクトのうち、現在選択されている操作オブジェクトが２番目の操作オブジェクトであることを示すスクロールインジケータＵ７１０を含む。
【００７５】
上記のように、操作オブジェクトのスクロールが繰り返されると、操作オブジェクトが最下端までスクロールされ得る。つまり、メイン操作オブジェクトに対応する原稿データ（上述した一の原稿データ）が、印刷データに含まれる最後の原稿データとなり得る。係る場合、本実施形態に係る操作オブジェクト制御部２２２は、所定のダミーデータに基づいてサブ操作オブジェクト（第一の操作オブジェクト）を生成して、表示させてもよい。なお、判定部２２６は、メイン操作オブジェクトに対応する原稿データが印刷データの最後の原稿データであるか否かの判定は、図７に示す判定部２２６により行われてもよい。
【００７６】
図９は、メイン操作オブジェクトに対応する原稿データが印刷データの最後の原稿データである場合のプレビュー画面の一例を示す説明図である。図９に示すプレビュー画面Ｕ８００に含まれるスクロールインジケータＵ８１０は、印刷データに基づいて生成される４つの操作オブジェクトのうち、現在選択されている操作オブジェクトが４番目（最後）の操作オブジェクトであることを示している。すなわち、図９に示すメイン操作オブジェクトＤ８２０に対応する原稿データは、印刷データの最後の原稿データである。したがって、印刷データに基づいてサブ操作オブジェクトを生成することができない。
【００７７】
そこで、図９に示すように、操作オブジェクト制御部２２２は、ダミーデータに基づいてサブ操作オブジェクトＤ８６０（第一の操作オブジェクト）を生成し、表示させる。係る構成により、メイン操作オブジェクトに対応する原稿データが印刷データの最後の原稿データとなる場合であっても、サブ操作オブジェクトが表示され、第一の実施形態で説明した集約設定、または両面設定のためのタッチ操作を行うことが可能となる。
【００７８】
＜２−２．第二の実施形態の動作例＞
以上、本発明の第二の実施形態の構成例について説明した。続いて、本実施形態の動作を説明する。以下では、本実施形態による画像形成装置１の動作例について、図１０を参照して説明を行う。
【００７９】
図１０は本実施形態に係る動作フローを示すフローチャート図である。まず、図４に示すように、ユーザによるタッチ操作に基づいたスクロール制御部２２４の制御により、操作オブジェクトが最下端までスクロールされる（Ｓ２０２）。
【００８０】
続いて、判定部２２６により、メイン操作オブジェクトに対応する原稿データが印刷データに含まれる最後の原稿データであると判定され、操作オブジェクト制御部２２２は、ダミーデータに基づいてサブ操作オブジェクトを生成し、表示させる（Ｓ２０４）。
【００８１】
続いて、表示操作部１１０が、ダミーデータに基づくサブ操作オブジェクト上を始点としたタッチ位置の移動（タッチ操作）を検出する（Ｓ２０６）。続くステップＳ２０８〜Ｓ２１４の処理は、それぞれ図４〜６を参照して説明した、ステップＳ１０４〜Ｓ１１０の処理と同様であるため、説明を省略する。
【００８２】
＜２−３．第二の実施形態の効果＞
以上、本発明の第二の実施形態について説明した。本実施形態によれば、第一の実施形態と同様に、ユーザにとって理解しやすい操作で設定を行うことが可能である。さらに、本実施形態によれば、サブ操作オブジェクトに対応する原稿データが存在しない場合であっても、ダミーデータに基づいてサブ操作オブジェクトが表示され、当該サブ操作オブジェクトに対するタッチ操作により、印刷に係る設定を行うことが可能となる。
【００８３】
＜＜３．変形例＞
以上、本発明の実施形態を説明した。以下では、本発明の幾つかの変形例を説明する。なお、以下に説明する各変形例は、単独で各実施形態に適用されてもよいし、組み合わせで各実施形態に適用されてもよい。また、各変形例は、上記実施形態で説明した構成に代えて適用されてもよいし、上記実施形態で説明した構成に対して追加的に適用されてもよい。
【００８４】
＜３−１．変形例１＞
上記実施形態では、タッチ位置が１つのタッチ操作を例に説明したが、本発明は係る例に限定されない。例えば、表示操作部は、複数のタッチ位置によるマルチタッチ操作を検出してもよい。また、設定特定部は、表示操作部により検出されるタッチ位置の数に応じて、設定を特定してもよい。係る構成によれば、設定特定部はさらに多様な設定を特定することが可能となる。
【００８５】
例えば、設定特定部は、タッチ位置の数が第一の数（例えば１）である場合に、印刷データの全体に関する設定を特定してもよい。また、タッチ位置の数が上記の第一の数とは異なる第二の数（例えば２以上）である場合に、印刷データのうち、現在表示されているサブ操作オブジェクト（第一の操作オブジェクト）とメイン操作オブジェクト（第二の操作オブジェクト）に対応する原稿データに関する設定を特定してもよい。
【００８６】
係る構成によれば、例えば、現在表示されているサブ操作オブジェクトとメイン操作オブジェクトに対応する原稿データに対してのみ部分的に、両面設定や集約設定に係る値を変更することが可能となる。
【００８７】
＜３−２．変形例２＞
上記第二の実施形態では、図９のように、メイン操作オブジェクトの下（次の操作オブジェクトの位置）にダミーデータに基づく操作オブジェクトが表示される例を示したが、本発明は係る例に限定されず、他の位置にダミーデータに基づく操作オブジェクトが表示されてもよい。
【００８８】
例えば、メイン操作オブジェクトの上（一つ前の操作オブジェクトの位置）にダミーデータに基づく操作オブジェクトが表示されてもよい。図１１は、メイン操作オブジェクトの上にダミーデータに基づく操作オブジェクトが表示される例を説明するための説明図である。
【００８９】
図１１に示すプレビュー画面Ｕ９００に含まれるスクロールインジケータＵ９１０は、印刷データに基づいて生成される４つの操作オブジェクトのうち、現在選択されている操作オブジェクトが４番目（最後）の操作オブジェクトであることを示している。すなわち、図１１に示すメイン操作オブジェクトＤ９２０に対応する原稿データは、印刷データの最後の原稿データである。
【００９０】
図１１に示すように、操作オブジェクト制御部は、ダミーデータに基づいてサブ操作オブジェクトＤ９６０を生成し、メイン操作オブジェクトＤ９２０の上（一つ前の操作オブジェクトの位置）に表示させてもよい。
【００９１】
なお、操作オブジェクト制御部は、メイン操作オブジェクトＤ９２０に対応する原稿データの、一つ前の原稿データに基づいて、サブ操作オブジェクトを生成し、メイン操作オブジェクトＤ９２０の上に表示させてもよい。
【００９２】
＜＜４．ハードウェア構成例＞＞
以上、本発明の各実施形態と各変形例を説明した。上述した表示制御処理、設定特定処理などの情報処理は、ソフトウェアと、以下に説明する画像形成装置１のハードウェアとの協働により実現される。
【００９３】
図１２は、画像形成装置１のハードウェア構成例を示す説明図である。図１２に示したように、画像形成装置１は、ＣＰＵ（Ｃｅｎｔｒａｌ  Ｐｒｏｃｅｓｓｉｎｇ  Ｕｎｉｔ）１５１と、ＲＯＭ（Ｒｅａｄ  Ｏｎｌｙ  Ｍｅｍｏｒｙ）１５２と、ＲＡＭ（Ｒａｎｄｏｍ  Ａｃｃｅｓｓ  Ｍｅｍｏｒｙ）１５３と、入出力装置１５４と、ストレージ装置１５５と、スキャナ装置１５６と、プリンタ装置１５７と、通信装置１５８とを備える。
【００９４】
ＣＰＵ１５１は、演算処理装置及び制御装置として機能し、各種プログラムに従って画像形成装置１内の動作全般を制御する。また、ＣＰＵ１５１は、マイクロプロセッサであってもよい。ＲＯＭ１５２は、ＣＰＵ１５１が使用するプログラムや演算パラメータなどを記憶する。ＲＡＭ１５３は、ＣＰＵ１５１の実行において使用するプログラムや、その実行において適宜変化するパラメータなどを一時記憶する。これらはＣＰＵバスなどから構成されるホストバスにより相互に接続されている。主に、ＣＰＵ１５１、ＲＯＭ１５２及びＲＡＭ１５３とソフトウェアとの協働により、表示制御部１２０、設定特定部１３０、制御部１６の機能が実現される。
【００９５】
入出力装置１５４は、タッチパネルなどユーザが情報を入力するための入力手段と、撮像された画像や生成された画像などを表示する表示手段を含む。入力手段は、ユーザによる入力に基づいて入力信号を生成し、ＣＰＵ１５１に出力する入力制御回路などから構成されている。入力手段は、マウス、キーボード、タッチパネル、ボタン、マイクロフォン、スイッチ及びレバーなどを含んでもよい。画像形成装置１のユーザは、該入出力装置１５４を操作することにより、画像形成装置１に対して各種のデータを入力したり処理動作を指示したりすることができる。また、出力手段はスピーカ及びヘッドホンなどの音声出力装置を含み、音声出力装置は、音声データなどを音声に変換して出力する。入出力装置１５４は、図１を参照して説明した表示操作部１１０に対応する。
【００９６】
ストレージ装置１５５は、データ格納用の装置である。ストレージ装置１５５は、記憶媒体、記憶媒体にデータを記録する記録装置、記憶媒体からデータを読み出す読出し装置及び記憶媒体に記録されたデータを削除する削除装置などを含んでもよい。ストレージ装置１５５は、ＣＰＵ１５１が実行するプログラムや各種データを格納する。ストレージ装置１５５は、図１を参照して説明した記憶部１４０に対応する。
【００９７】
スキャナ装置１５６は、ＡＤＦ（Ａｕｔｏ  Ｄｏｃｕｍｅｎｔ  Ｆｅｅｄｅｒ）と原稿台を備え、原稿用紙から画像情報を読み取る。スキャナ装置１５６は、図１を参照して説明したスキャナ部１２に対応する。プリンタ装置１５７は、画像データに従って用紙に印刷する。プリンタ装置１５７は、図１を参照して説明したプリンタ部１４に対応する。
【００９８】
通信装置１５８は、例えば、図１を参照して説明した通信網５等の伝送路に接続するための通信デバイスなどで構成された通信インタフェースである。また、通信装置１５８は、無線ＬＡＮ（Ｌｏｃａｌ  Ａｒｅａ  Ｎｅｔｗｏｒｋ）対応通信装置、ＬＴＥ（Ｌｏｎｇ  Ｔｅｒｍ  Ｅｖｏｌｕｔｉｏｎ）対応通信装置、有線による通信を行うワイヤー通信装置、またはブルートゥース（登録商標）通信装置を含んでもよい。通信装置１５８は、図１を参照して説明した通信部１８に対応する。
【００９９】
なお上記では画像形成装置１のハードウェア構成を説明したが、画像形成装置１−２も、画像形成装置１と同様に、ＣＰＵ１５１、ＲＯＭ１５２およびＲＡＭ１５３などに相当するハードウェアを有する。そして、画像形成装置１−２のハードウェアとソフトウェアとの協働により、例えば表示制御部２２０、設定特定部１３０の機能等が実現される。
【０１００】
＜＜５．むすび＞＞
以上説明したように、本発明の実施形態によれば、ユーザにとって理解しやすい操作で設定を行うことが可能である。
【０１０１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０２】
例えば、上記実施形態では、上述した表示装置１０、及び表示装置２０の各機能を、画像形成装置１、及び画像形成装置１−２が有する例を説明したが、本発明は係る例に限定されない。上述した表示装置１０、及び表示装置２０の各機能を他の装置が有してもよく、例えば、図１を参照して説明した通信網５に接続された不図示の情報処理装置が、上述した表示装置１０、または表示装置２０の表示制御部、設定特定部の機能を有してもよい。なお、通信網５に接続された当該不図示の情報処理装置は、例えばＰＣ（Personal  Computer）、タブレットＰＣ、スマートフォン等の情報処理装置であってもよい。
【０１０３】
また、上記実施形態における各ステップは、必ずしもフローチャート図として記載された順序に沿って時系列に処理する必要はない。例えば、上記実施形態の処理における各ステップは、フローチャート図として記載した順序と異なる順序で処理されても、並列的に処理されてもよい。
【０１０４】
また、画像形成装置１に内蔵されるＣＰＵ１５１、ＲＯＭ１５２、及びＲＡＭ１５３などのハードウェアに、上述した画像形成装置１、及び画像形成装置１−２の機能を発揮させるためのコンピュータプログラムも作成可能である。また、該コンピュータプログラムを記憶させた記憶媒体も提供される。
【符号の説明】
【０１０５】
１、１−２  画像形成装置
５  通信網
１０  表示装置
１２  スキャナ部
１４  プリンタ部
１６  制御部
１８  通信部
２０  表示装置
１１０  表示操作部
１２０  表示制御部
１２２  操作オブジェクト制御部
１３０  設定特定部
１４０  記憶部
２２０  表示制御部
２２２  操作オブジェクト制御部
２２４  スクロール制御部
２２６  判定部
【図１】
0006607117.tif 000002
【図２】
0006607117.tif 000003
【図３】
0006607117.tif 000004
【図４】
0006607117.tif 000005
【図５】
0006607117.tif 000006
【図６】
0006607117.tif 000007
【図７】
0006607117.tif 000008
【図８】
0006607117.tif 000009
【図９】
0006607117.tif 000010
【図１０】
0006607117.tif 000011
【図１１】
0006607117.tif 000012
【図１２】
0006607117.tif 000013